(57)【要約】      （修正有）【課題】ずれ難く簡単に装着することができる外反母趾矯正用ベルトを提供する。【解決手段】当て部２と、ベルト本体３と、係合部４とを具備する。当て部２は、足の側面で足親指における中足指節関節部分と接触する。ベルト本体３は、当て部２が中央に取付けられ足全体の中足指節関節部分の全周に亘って巻付け可能な巻付け部３ａ、巻付け部３ａの一端側から延出し巻付け部３ａよりも幅の狭い延出部３ｂ、及び延出部３ｂが通過可能とされ巻付け部３ａの他端側に形成されたスリット３ｃを有し、足と接触する側の面全体が面ファスナーで構成される。係合部４は、ベルト本体３における足と接触する側とは反対側で、巻付け部３ａにおけるスリット３ｃの延出部３ｂ側、及び延出部３ｂにおける巻付け部３ａに近い基端側に夫々取付けられ、ベルト本体３の面ファスナーと係合可能な面ファスナーで構成される。【選択図】図１
0003166221.tif 000002
【実用新案登録請求の範囲】
【請求項１】
足の側面で足親指における中足指節関節部分と接触するスポンジ状の当て部と、
該当て部が中央に取付けられ足全体の中足指節関節部分の全周に亘って巻付け可能な長さとされた巻付け部、該巻付け部の一端側から延出し該巻付け部よりも幅の狭い延出部、及び該延出部が通過可能とされ前記巻付け部の他端側に形成されたスリットを有し、足と接触する側の面全体が面ファスナーで構成されたベルト本体と、
該ベルト本体における足と接触する側とは反対側で、前記巻付け部における前記スリットの前記延出部側、及び該延出部における前記巻付け部に近い基端側に夫々取付けられ、前記ベルト本体の面ファスナーと係合可能な面ファスナーで構成された係合部と
を具備することを特徴とする外反母趾矯正用ベルト。
【考案の詳細な説明】
【技術分野】
【０００１】
本考案は、外反母趾の矯正に用いるための外反母趾矯正用ベルトに関するものである。
【背景技術】
【０００２】
従来より、外反母趾や内反小趾等の矯正に用いるものとしては、例えば、ゴム編みにより筒状に形成した筒状体の周方向に、ゴム糸を編み込んだ足用サポーターが知られている（例えば、特許文献１）。この足用サポーターを、外反母趾等を患った足の中足指部分の外周を覆うように装着することで、足を幅方向に締付けて矯正するようにしている。また、履いた時に、足親指の付け根（中足指先端）と足小指の中足指基端とを押圧するようにして、足を矯正するようにした履物も提案されている（例えば、特許文献２）。
【考案の概要】
【考案が解決しようとする課題】
【０００３】
しかしながら、特許文献１のものでは、ゴムにより伸縮する筒状のサポーターを足に装着するようにしているので、足に装着したままの状態で歩くと、サポーターがずれてしまい、ずれる度にサポーターの位置を元に戻さなければならず、使い辛い問題があった。また、ゴムの弾性力により足を締付けるようにしているので、ゴムが劣化し易く、長期に亘って充分な効果を発揮し続けることができず、ゴムが劣化して弾性力が弱くなると、新品のものと交換しなければならず、コストが高くなる問題があった。
【０００４】
また、特許文献２のものでは、室内等でも履物を履き続ける必要があるので、使用者によっては違和感を覚え易く、室内等で充分にリラックスすることができず、使い辛い問題がある。
【０００５】
そこで、本考案は上記の実情に鑑み、ずれ難く簡単に装着することができる外反母趾矯正用ベルトの提供を課題とするものである。
【課題を解決するための手段】
【０００６】
上記の課題を解決するために、本考案に係る外反母趾矯正用ベルトは、「足の側面で足親指における中足指節関節部分と接触するスポンジ状の当て部と、該当て部が中央に取付けられ足全体の中足指節関節部分の全周に亘って巻付け可能な長さとされた巻付け部、該巻付け部の一端側から延出し該巻付け部よりも幅の狭い延出部、及び該延出部が通過可能とされ前記巻付け部の他端側に形成されたスリットを有し、足と接触する側の面全体が面ファスナーで構成されたベルト本体と、該ベルト本体における足と接触する側とは反対側で、前記巻付け部における前記スリットの前記延出部側、及び該延出部における前記巻付け部に近い基端側に夫々取付けられ、前記ベルト本体の面ファスナーと係合可能な面ファスナーで構成された係合部とを具備する」ことを特徴とする。
【０００７】
ここで、「当て部」としては、外反母趾（内反小趾）により中足指節関節部分の突出した部位を包むような大きさであれば良く、六角形状、楕円形状、矩形状、等の形状のものを例示することができる。なお、当て部におけるベルト本体の長手方向に対して両端部が、細くなるような形状とすることが望ましく、突出した部位以外を当て部で多く包むことで使用者に対して違和感を与えてしまうのを抑制することができると共に、当て部を突出した部位にフィットさせて外反母趾矯正用ベルトをずれ難くすることができる。また、スポンジ状としては、合成樹脂や、天然のもの等を用いることができ、特にファンデーション等に用いる木目が細かく柔らかいスポンジを用いることが望ましい。
【０００８】
また、「幅」とは、外反母趾矯正用ベルトを足に装着した時に、足指の長さ方向（前後方向）の間隔のことである。
【０００９】
更に、「面ファスナー」としては、複数のループ部と複数のフック部とが互いに絡み合うことで係合することができるものであり、「複数のループ部のみを備えたもの」、「複数のフック部のみを備えたもの」、「複数のループ部とフック部とを備えたもの」、等を例示することができる。
【００１０】
本考案の外反母趾矯正用ベルトによると、外反母趾により中足指節関節部分の突出した部位を当て部で包むように宛がうと共に、足の中足指に相当する部位に巻付け部を巻付けた上で、延出部の先端を巻付け部の内側（足と接触する側）からスリットを通して巻付け部の外側へ延びださせ、巻付け部のスリットよりも他端側と延出部の先端とを互いに離反する方向へ巻付け部がずれない程度の強さで引張り、巻付け部におけるスリットよりも他端側と延出部の先端をベルト本体の外側に取付けられた係合部と係合させることで、外反母趾矯正用ベルトを使用者の足に装着することができる。
【００１１】
これにより、ベルト本体のスリットに延出部の先端を通した上で、延出部の先端と巻付け部におけるスリットよりも他端側とを夫々面ファスナーで係合させて固定するようにしているので、従来のようなゴムで締付けるようにしたものや、スリットを通さずに延出部の先端を巻付け部の外側に面ファスナー等によって固定するようにしたものと比較して、使用中にベルト本体による足の締付けが緩くなったり外れたりするのを可及的に防止することができる。また、ベルト本体における巻付け部の他端側と延出部の先端側とを面ファスナーの係合によって互いを固定するようにしているので、足への脱着を容易にすることができ、簡単に装着することができる。
【００１２】
また、外反母趾により突出した部分を当て部で覆うようにしているので、外反母趾矯正用ベルトを装着した時の痛みや、外反母趾による痛み等を緩和させることができると共に、外反母趾矯正用ベルトを足に対してずれ難くすることができる。
【００１３】
更に、外反母趾矯正用ベルトを足に巻付けるようにしているので、履物を履く場合と比較して、室内等での装着に対する違和感を可及的に少なくすることができ、使用者をリラックスさせることができると共に、外反母趾による痛みを緩和させる効果を期待することができる。また、靴等の履物を履いていない時には、何時でも何処でも簡単に足に装着することができ、外反母趾の矯正を行い易くすることができる。
【００１４】
また、外反母趾矯正用ベルトを足に巻付けるようにしているので、外反母趾により突出した足親指の中足節関節部分が更に突出するのを防止することができる上に、突出した部分の突出量を小さくして元の状態に戻すようにすることができる。
【００１５】
なお、本考案の外反母趾矯正用ベルトは、内反小趾にも用いることができる他に、外反母趾等を患っていない状態で足に装着しても良く、外反母趾等になるのを予防することができると共に、足の疲れや痛み等も取ることができる。
【考案の効果】
【００１６】
上記のように本考案によると、ずれ難く簡単に装着することができる外反母趾矯正用ベルトを提供することができる。
【図面の簡単な説明】
【００１７】
【図１】本考案の一実施形態である外反母趾矯正用ベルトを足に装着した状態を示す図である。
【図２】（ａ）は図１の外反母趾矯正用ベルトを展開して足に接触する側を示す平面図であり、（ｂ）は（ａ）の底面図である。
【考案を実施するための形態】
【００１８】
以下、本考案の一実施形態である外反母趾矯正用ベルトについて、図１及び図２を参照して詳細に説明する。図１は、本考案の一実施形態である外反母趾矯正用ベルトを足に装着した状態を示す図である。また、図２（ａ）は図１の外反母趾矯正用ベルトを展開して足に接触する側を示す平面図であり、（ｂ）は（ａ）の底面図である。
【００１９】
本実施形態の外反母趾矯正用ベルト１は、図示するように、足の側面で足親指における中足指節関節部分と接触するスポンジ状の当て部２と、当て部２が略中央に取付けられ足全体の中足指節関節部分の全周に亘って巻付けられ足と接触する側の面全体が面ファスナーで構成された帯状のベルト本体３と、ベルト本体３における足と接触する側とは反対側に取付けられベルト本体３の面ファスナーと係合可能な面ファスナーで構成された係合部４と、を備えている。
【００２０】
外反母趾矯正用ベルト１の当て部２は、図２に示すように、ベルト本体３の長手方向に対して両端部が細くなる略六角形状ら形成されており、ファンデーション等に用いる木目が細かく柔らかいスポンジにより形成されている。
【００２１】
また、外反母趾矯正用ベルト１のベルト本体３は、当て部２が中央に取付けられ足全体の中足指節関節部分の全周に亘って巻付け可能な長さとされた巻付け部３ａと、巻付け部３ａの一端側から延出し巻付け部３ａよりも幅の狭い延出部３ｂと、延出部３ｂが通過可能とされ巻付け部３ａの他端側に形成されたスリット３ｃと、を有している。ベルト本体３の巻付け部３ａは、図示するように、長手方向へ延びた一方の側辺が、直線状に形成されているのに対して、長手方向へ延びた他方の側辺が、中央が外側へ膨出する緩い円弧状に形成されている。また、ベルト本体３の延出部３ｂは、巻付け部３ａの幅に対して約半分の幅に形成されている。
【００２２】
更に、外反母趾矯正用ベルト１の係合部４は、図示するように、ベルト本体３の延出部３ｂと略同じ幅に形成され、巻付け部３ａにおけるスリット３ｃの延出部３ｂ側と、延出部３ｂにおける巻付け部３ａに近い基端側に夫々取付けられている。
【００２３】
本例の外反母趾矯正用ベルト１は、ベルト本体３に対して当て部２と係合部４とが夫々接着剤によって取付けられている。
【００２４】
因みに、本例の外反母趾矯正用ベルト１における各部の寸法は、巻付け部３ａの幅が約５ｃｍ、長さが２０〜２８ｃｍとされていると共に、延出部３ｂの幅が約２．５ｃｍ、長さが約１０ｃｍとされている。また、係合部４は、幅が約２．５ｃｍ、長さが３〜４ｃｍとされている。この外反母趾矯正用ベルト１は、上記した寸法の範囲内において、大きさが異なるものを複数（例えば、五段階）用意されており、使用者の足の大きさに合った大きさの外反母趾矯正用ベルト１を用いることができるようになっている。
【００２５】
次に、本例の外反母趾矯正用ベルト１の使用方法について説明する。この外反母趾矯正用ベルト１は、ベルト本体３の面ファスナーが足と接触する側を向くようにした上で、ベルト本体３の巻付け部３ａにおける側辺が円弧状に形成された側を足の先端側を向くようにし、外反母趾により中足指節関節部分の突出した部位を当て部２で包むように当て部２を宛がうと共に、足の中足指に相当する部位にベルト本体３の巻付け部３ａを巻付ける。続いて、ベルト本体３の延出部３ｂの先端を、巻付け部３ａの内側（足と接触する側）からスリット３ｃを通して巻付け部３ａの外側へ延びださせ、巻付け部３ａのスリット３ｃよりも他端側と延出部３ｂの先端とを互いに離反する方向へ引張る。
【００２６】
そして、ベルト本体３における巻付け部３ａの他端と延出部３ｂの先端とを、巻付け部３ａが足からずれない程度の強さで引張った上で、巻付け部３ａにおけるスリット３ｃよりも他端側と延出部３ｂの先端を、ベルト本体３の外側に取付けられた係合部４と係合させる。これにより、外反母趾矯正用ベルト１を、使用者の足に装着することができる。
【００２７】
なお、外反母趾矯正ベルト１は、使用者の足に直接巻き付けるように使用しても良いし、足に靴下やストッキング等を履いた上から巻き付けるように使用しても良い。また、上記の例では、左足に装着した例を示したが、これに限定するものではなく、右足に装着するようにしても良く、この場合、上記の例とは対称に形成したものを使用することが望ましい。
【００２８】
このように、本実施形態の外反母趾矯正用ベルト１によると、ベルト本体３のスリット３ｃに延出部３ｂの先端を通した上で、延出部３ｂの先端と巻付け部３ａにおけるスリット３ｃよりも他端側とを夫々面ファスナーで係合させて固定するようにしているので、従来のようなゴムで締付けるようにしたものや、スリット３ｃを通さずに延出部３ｂの先端を巻付け部３ａの外側に面ファスナー等によって固定するようにしたものと比較して、使用中にベルト本体３による足の締付けが緩くなったり外れたりするのを可及的に防止することができる。
【００２９】
また、本例の外反母趾矯正用ベルト１は、ベルト本体３における巻付け部３ａの他端側と延出部３ｂの先端側とを面ファスナーの係合によって互いを固定するようにしているので、足への脱着を容易にすることができ、簡単に装着することができる。
【００３０】
また、外反母趾矯正用ベルト１は、外反母趾により突出した部分を当て部２で覆うようにしているので、外反母趾矯正用ベルト１を装着した時の痛みや、外反母趾による痛み等を緩和させることができると共に、外反母趾矯正用ベルト１を足に対してずれ難くすることができる。
【００３１】
更に、外反母趾矯正用ベルト１は、足に巻付けるようにしているので、履物を履く場合と比較して、室内等での装着に対する違和感を可及的に少なくすることができ、使用者をリラックスさせることができると共に、外反母趾による痛みを緩和させる効果を期待することができる。また、靴等の履物を履いていない時には、何時でも何処でも簡単に足に装着することができ、外反母趾の矯正を行い易くすることができる。また、外反母趾矯正用ベルト１は、足に巻付けるようにしているので、外反母趾により突出した足親指の中足節関節部分が更に突出するのを防止することができる上に、突出した部分の突出量を小さくして元の状態に戻すようにすることができる。
【００３２】
以上、本考案を実施するための一例としての実施形態を挙げて説明したが、本考案は、この実施形態に限定するものではなく、本考案の要旨を逸脱しない範囲において、種々の改良及び設計の変更が可能である。
【００３３】
すなわち、上記の実施形態では、外反母趾矯正用ベルト１を、外反母趾に対して使用する例を説明したが、これに限定するものではなく、内反小趾に対しても使用することができ、内反小趾を矯正して内反小趾による痛みを緩和させることができると共に、内反小趾により突出した足小指の中足節関節部分の突出量を小さくして元の状態に戻すことができる。
【００３４】
また、外反母趾矯正用ベルト１を、汚れ難い素材や、汚れが落ち易い素材等で形成することが望ましく、これにより、洗濯することで汚れを容易に落とすことができ、長期間使用することができる。
【００３５】
更に、上記の実施形態では、当て部２と係合部４を接着剤で取付けたものを示したが、これに限定するものではなく、縫製したり、溶着したりしても良い。
【００３６】
また、上記の実施形態では、ベルト本体３の延出部３ｂを、平行な二辺が同じ長さに延びたものを示したが、これに限定するものではなく、例えば、足の先端を向く側の辺が、巻付け部３ａ側へ延びるように若干切込ませたような形状としても良く、これにより、足の長手方向に対してベルト本体３の向きを判り易くすることができる。
【符号の説明】
【００３７】
１  外反母趾矯正用ベルト
２  当て部
３  ベルト本体
３ａ  巻付け部
３ｂ  延出部
３ｃ  スリット
４  係合部
【先行技術文献】
【特許文献】
【００３８】
【特許文献１】実用新案登録第３０８４３９９号公報
【特許文献２】特開２０００−２８７７０５号公報
【図１】
0003166221.tif 000003
【図２】
0003166221.tif 000004